(57)【要約】【課題】電動工具の起動用スイッチにおいて、従来スイッチレバーの空走距離（遊び）を十分に確保できない場合には、別途ロックオフ機構等を設ける必要があった。この発明では、比較的小型のスイッチであってもスイッチレバーの空走距離を十分に確保して、その誤操作等をより確実に防止できるようにする。【解決手段】スイッチ本体１３のスイッチノブ１２とスイッチレバー１１との間にレバー付勢ばね１４を介装して、スイッチレバー１１の空走距離を当該スイッチレバー１１のスイッチノブ１２対する空走距離Ｌ１とスイッチノブ１２自体の空走距離Ｌ２の合計とする。【選択図】図５
2008173732.tif 000002
【特許請求の範囲】
【請求項１】
電動工具の使用者が移動操作するスイッチレバーと、該スイッチレバーのオン位置側への移動操作によりオン位置側へ空走距離Ｌ２だけ移動してオン位置に至るスイッチノブを有するスイッチ本体を備えたスイッチであって、
前記スイッチレバーと前記スイッチノブとの間に、前記スイッチレバーのオン位置側への移動操作について空走距離Ｌ１を持たせたスイッチ。
【請求項２】
請求項１記載のスイッチであって、前記スイッチレバーと前記スイッチノブとの間に、前記スイッチレバーをオフ位置側へ付勢するレバー付勢ばねを介装して前記空走距離Ｌ１を持たせたスイッチ。
【請求項３】
電動工具の使用者が移動操作するスイッチレバーと、該スイッチレバーのオン位置側への移動操作によりオン位置側へ空走距離Ｌ２だけ移動してオン位置に至るスイッチノブを有するスイッチ本体を備えたスイッチであって、
前記スイッチ本体を前記電動工具のスイッチ支持部に対して移動可能に支持して、前記スイッチレバーのオン位置側への移動操作により前記スイッチ本体を移動させて、前記スイッチレバーのオン位置側への移動操作について空走距離Ｌ３を持たせたスイッチ。
【請求項４】
請求項３記載のスイッチであって、前記スイッチ本体をオフ位置側へ付勢する本体付勢ばねと、前記スイッチノブをオフ位置側へ付勢するノブ付勢ばねを備え、該ノブ付勢ばねよりも前記本体付勢ばねの付勢力を小さく設定して、前記スイッチレバーのオン位置側への移動操作に伴って前記スイッチ本体を前記本体付勢ばねに抗してオン位置側に移動させる構成としたスイッチ。
【請求項５】
電動工具の使用者が移動操作するスイッチレバーと、該スイッチレバーのオン位置側への移動操作によりオン位置側へ空走距離Ｌ２だけ移動してオン位置に至るスイッチノブを有するスイッチ本体を備えたスイッチであって、
前記スイッチレバーは前記電動工具のスイッチレバー支持部に傾動支点を中心にして傾動操作可能に支持されており、その傾動先端部と前記傾動支点との間に前記スイッチノブを突き当てて、該ノブ突き当て部と前記傾動支点との間の距離Ｒ１と、前記傾動先端部と前記傾動支点との間の距離Ｒ２との比率に基づいて前記スイッチノブの空走距離Ｌ２を増幅して前記スイッチレバーに空走距離Ｌ４を持たせたスイッチ。
【請求項６】
電動工具の使用者が移動操作するスイッチレバーと、該スイッチレバーのオン位置側への移動操作によりオン位置側へ空走距離Ｌ２だけ移動してオン位置に至るスイッチノブを有するスイッチ本体を備えたスイッチであって、
前記スイッチ本体をオンさせるために必要な前記スイッチレバーの操作量としての空走距離Ｌを、前記スイッチノブの空走距離Ｌ２よりも大きくするためのレバー空走距離付与手段を備えたスイッチ。
【発明の詳細な説明】
【技術分野】
【０００１】
この発明は、例えば携帯形丸鋸等の電動工具において、使用者が把持するハンドル部に装備された起動操作用のスイッチに関する。
【背景技術】
【０００２】
上記携帯形の丸鋸は、使用者が把持するためのハンドル部を備えている。このハンドル部は、例えばループ形を有しており、例えばその内周側にはトリガ形式のスイッチが装備されている。このスイッチは、使用者が指先で引き操作するスイッチレバーと、このスイッチレバーの引き操作（オン操作）によりオンするスイッチ本体を備えている。使用者は、ハンドル部を把持したまま指先でスイッチレバーを引き操作することによりスイッチ本体をオン操作することができ、これにより工具本体に内蔵した電動モータを起動して円形の切断刃を回転させることができる。逆に、スイッチレバーの引き操作を解除することにより電動モータを停止させることができる。
通常この種のスイッチには、その誤操作若しくは不用意なオン動作を防止するための工夫がなされている。例えば、スイッチレバーにいわゆる空走距離（遊び）を持たせて、当該スイッチレバーを一定距離オン側に操作した時点でスイッチ本体がオンする構成としてその誤操作等を防止する方法、あるいはスイッチレバーに十分な空走距離を確保することができない場合等には、当該スイッチレバーとは別にいわゆるロックオフ機構を設けてスイッチレバーのオン操作を禁止することにより当該スイッチの誤操作等を防止する方法が採られている。
【特許文献１】特開平１１−１７０２０３号公報
【特許文献２】特開平１０−１０９３０２号公報
【発明の開示】
【発明が解決しようとする課題】
【０００３】
しかしながら、従来のスイッチには、次のような問題があった。すなわち、従来、スイッチレバーはスイッチ本体のスイッチノブの先端に一体に設けられる等して（ノブ一体形スイッチレバー）、スイッチレバーを引き操作するとスイッチノブが一体に移動する構成であったので、スイッチレバーの空走距離とスイッチノブの空走距離が一致していた。このため、比較的小型のスイッチが用いられる電動工具の場合には、スイッチレバーに概ね４ｍｍ〜５ｍｍ程度の空走距離が設定されてはいるもののより大きな空走距離を確保することは困難であり、その結果誤操作防止機能をさらに高めるためには別途ロックオフ機構を設ける必要があった。
本発明は、この問題を解消するためになされたもので、比較的小型のスイッチが用いられる電動工具の場合に、別途ロックオフ機構を設けることなく、また従来のスイッチ本体をそのまま利用しつつスイッチレバーに十分大きな空走距離を設定することによりその誤操作等をより確実に防止できるようにすることを目的とする。
【課題を解決するための手段】
【０００４】
このため、本発明は、特許請求の範囲の各請求項に記載した構成のスイッチとした。
請求項１記載のスイッチによれば、スイッチレバーとスイッチノブとの間にオン側への操作方向について空走距離（いわゆる遊び）が持たせられているので、この空走距離分だけスイッチレバーをオン側へ操作した後にスイッチ本体がオンする。このことから、スイッチレバーがスイッチノブに一体に設けられる等して両者の空走距離が一致した従来のノブ一体形スイッチレバーに比してスイッチレバーとスイッチノブとの間の空走距離分だけスイッチレバーの空走距離を大きくすることができる。
このため、電動工具に用いられる比較的小型のスイッチにおいて、別途ロックオフ機構を設けることなく、しかもスイッチ本体（スイッチノブの空走距離Ｌ２）についてはなんら変更を加えることなくそのまま利用しつつ、スイッチレバーとスイッチノブとの間の空走距離を適切に設定することにより、スイッチレバーの空走距離を従来よりも大きくしてその誤操作等をより確実に防止することができる。
また、上記のようにスイッチ本体については、特別の変更を加える必要がないので、従来のスイッチ本体をそのまま利用できるとともに、スイッチレバーの空走距離について、空走距離の大きいタイプと小さいタイプとに変更若しくは切り換えを容易に行うことができるようになる。
この明細書において、スイッチレバーの「空走距離」とは、使用者が指先等で直接操作するスイッチレバーの非操作位置からスイッチ本体がオンするまでに移動させる距離（いわゆる遊び）をいうものとする。
請求項２記載のスイッチによれば、請求項１記載のスイッチにおいて、レバー付勢ばねに抗してなされるスイッチレバーの移動操作が空走距離に相当する。スイッチレバーの非操作時には、この空走距離がレバー付勢ばねによって常時最大となる側に保持される。
請求項３記載のスイッチによれば、スイッチレバーをオン側に移動操作すると先ずスイッチ本体が移動し、その後スイッチノブが移動して当該スイッチ本体がオンする。このため、スイッチレバーの空走距離は、スイッチ本体の移動距離とスイッチノブの移動距離の合計距離となり、スイッチ本体の移動距離に相当する分だけスイッチ本体の空走距離を従来よりも大きくすることができる。
このため、電動工具に用いられる比較的小型のスイッチにおいて、別途ロックオフ機構を設けることなく、スイッチ本体の移動距離を適切に設定することによりスイッチレバーの空走距離を従来よりも大きくしてその誤操作等をより確実に防止することができる。この場合もスイッチ本体については特別の変更を加える必要がないので、従来構成のスイッチ本体（スイッチノブの空走距離Ｌ２）をそのまま利用することができるとともに、スイッチレバーの遊びについての変更若しくは切り換えを容易に行うことができるようになる。
【０００５】
請求項４記載のスイッチによれば、スイッチレバーをオン側に移動操作すると、先ず本体付勢ばねに抗してスイッチ本体が移動する。このスイッチ本体の移動距離がスイッチレバーの空走距離に相当する。スイッチ本体が本体付勢ばねに抗して一定距離移動した後、さらにスイッチレバーを本体付勢ばね及びスイッチノブ付勢ばねに抗してオン側に移動操作すると、スイッチノブがオン側に移動してスイッチ本体がオンする。このことから、上記と同様従来より大きなスイッチレバーの空走距離を設定してその誤操作等を確実に防止できる。また、スイッチノブ及びスイッチ本体がそれぞればねによりオフ側の位置にもどされるので、当該スイッチレバーの非操作状態では、当該スイッチレバーの空走距離が最大に保持される。
請求項５記載のスイッチによれば、傾動支持されたスイッチレバーの傾動操作部に指先を引き掛けて当該スイッチレバーをオン側に引き操作（傾動操作）すれば、これと同時にスイッチノブがオン側に移動操作される。
スイッチノブのオン位置までの移動操作量（空走距離）とスイッチレバーの移動操作量との比率は、傾動支点とスイッチノブ突き当て部との間の距離（傾動半径Ｒ１）と、傾動支点とスイッチレバーの傾動先端部との間の距離（傾動半径Ｒ２）との比率（Ｒ２／Ｒ１）に基づいてスイッチノブの空走距離が増幅されて傾動操作部の空走距離に変換される。このため、従来スイッチノブに一体に設けられる等してスイッチレバーの空走距離がスイッチノブの空走距離に一致していた従来のノブ一体形スイッチレバーに比して当該スイッチレバーの空走距離を十分に大きく（増幅）することができる。このことから、比較的小型のものが用いられる電動工具のスイッチにおいて、別途ロックオフ機構を用いることなく、スイッチレバーの空走距離を十分に確保してその誤操作等を確実に防止できるようになる。
また、この場合についてもスイッチ本体自体に変更を加える必要がないので、従来構成のスイッチ本体（スイッチノブの空走距離Ｌ２）をそのまま利用できるとともに、スイッチレバーの空走距離について変更若しくは切り換えを容易に行うことができるようになる。
請求項６記載のスイッチによれば、レバー空走距離付与手段によって、スイッチ本体をオンさせるために必要なスイッチレバーの操作量（空走距離Ｌ）がスイッチノブの空走距離Ｌ２よりも大きくなっている。このため、従来のレバー一体形スイッチノブに比してスイッチレバーの空走距離を大きくすることができ、これにより電動工具に用いられる比較的小型のスイッチにおいて、別途ロックオフ機構を設けることなく、スイッチレバーの空走距離を従来のノブ一体形スイッチレバーよりも大きくしてその誤操作等をより確実に防止することができる。
このようにスイッチレバーの空走距離Ｌをスイッチノブ自体の空走距離Ｌ２よりも大きくするためのレバー空走距離付与手段としては種々の形態を採ることができる。例えば、スイッチ本体のスイッチノブとの間に空走距離Ｌ１を設定する構成、スイッチ本体自体を移動させてこれをスイッチレバーのスイッチノブに対する空走距離Ｌ３とする構成、スイッチレバーを傾動操作する形態として、その傾動中心からの距離の相違に基づく比率によってスイッチノブ自体の空走距離Ｌ２を増幅することにより当該スイッチレバーの傾動先端部の必要移動距離（空走距離Ｌ４）を大きく設定して、これを空走距離Ｌとすることができる。
また、請求項６記載の構成によっても、スイッチ本体（スイッチノブの空走距離Ｌ２）については特に変更を加えることなくそのまま利用することができることから、スイッチレバーの空走距離について空走距離の大きいタイプと空走距離の小さいタイプとの切り換え若しくは変更を容易に行うことができるようになる。
【発明を実施するための最良の形態】
【０００６】
次に、本発明の実施形態を図１〜図１０に基づいて説明する。図１及び図２は、第１実施形態に係るスイッチ１０を備えた携帯形の丸鋸１を示している。本実施形態に係る丸鋸１は、起動用のスイッチ１０に特徴を有するもので、その他切断機としての基本的構成については特に変更を要しない。この丸鋸１は、切断材の上面に載せ掛けて使用者が移動させることにより切断作業を行うもので、以下その全体構成について簡単に説明する。
図１中、符号２は切断材の上面に当接されるベースを示している。このベース２の上面には、ブレードケース３が支持されている。このブレードケース３によって円形のブレード（切断刃）４の上側半周の範囲が覆われている。ブレード４の下側はベース２の下面側に突き出されており、この突き出し部分が切断材に切り込まれる。
ブレードケース３の背面側にはモータケース５が後方へ突き出す状態に設けられている。このモータケース５内に電動モータ５ａが内蔵されている。この電動モータ５ａを駆動源としてブレード４が回転する。
モータケース５の側部には、使用者が把持するためのハンドル部６が設けられている。このハンドル部６は、モータケース５の側部と上部とに跨った概ねループ形状を有している。このハンドル部６の内周側に第１実施形態のスイッチ１０が配置されている。第１実施形態のスイッチ１０の詳細が図３〜図５に示されている。
このスイッチ１０は、使用者が指先で操作するスイッチレバー１１と、スイッチノブ１２を備えたスイッチ本体１３を備えている。スイッチレバー１１は、ハンドル部６の内周側に開口する支持孔６ａ内に位置してオン位置とオフ位置との間を移動可能に保持されている。図３は、スイッチレバー１１がオフ位置に位置する状態を示し、図５はスイッチレバー１１がオン位置に移動した状態を示している。このスイッチレバー１１は、図において上向きに開口する箱体形状の樹脂成形体で、その下面側に指当て部１１ａが設けられている。この指当て部１１ａがハンドル部６の内周側に向けられている。
スイッチ本体１３は、オフ位置側にばね付勢された棒形のスイッチノブ１２を備えた従来公知のもので、ハンドル部６内に固定されている。このスイッチ本体１３は、電動モータ５ａの駆動回路に組み込まれている。このスイッチ本体１３がオンすると電動モータ５ａが起動し、オフすると電動モータ５ａが停止する。このスイッチ本体１３のスイッチノブ１２は、スイッチ本体１３の側部から突き出す状態で、その軸方向に移動可能に支持されている。スイッチノブ１２はスイッチ本体１３内に内装されたノブ付勢ばね１２ａによりオフ位置側（突き出し側）に付勢されており、この付勢力に抗してオフ位置から一定の空走距離Ｌ２だけオン位置側（引き込み側）に移動すると当該スイッチ本体１３がオンして電動モータ５ａが起動する。
【０００７】
このスイッチノブ１２と上記スイッチレバー１１との間にはレバー付勢ばね１４が介装されている。本実施形態では、このレバー付勢ばね１４に圧縮コイルばねが用いられている。このレバー付勢ばね１４によってスイッチレバー１１が図３に示すオフ位置側に付勢されている。このレバー付勢ばね１４の付勢力は、スイッチノブ１１の付勢力よりも小さい力に設定されている。このため、スイッチレバー１１を図３に示すオフ位置から図４に示すようにオン位置側に移動操作すると、先ずレバー付勢ばね１４が縮められてその付勢力が大きくなるが、当該スイッチレバー１１が一定距離Ｌ１だけオン位置側に移動する間、スイッチノブ１２はオフ位置から移動しない。この一定距離Ｌ１が、スイッチレバー１１のスイッチノブ１２に対する空走距離Ｌ１に相当する。また、この空走距離Ｌ１とスイッチノブ１２自体の空走距離Ｌ２との合計が請求項６に記載した空走距離Ｌの一実施形態に相当し、またレバー付勢ばね１４及びこれにより形成される空走距離Ｌ４がレバー空走距離付与手段の一実施形態に相当する。
スイッチレバー１１をレバー付勢ばね１４に抗して空走距離Ｌ１だけオン位置側に移動操作し、そのままさらに移動操作すると、図５に示すようにスイッチノブ１１がノブ付勢ばね１２ａに抗してオン位置側に移動する。上記したようにスイッチノブ１１がノブ付勢ばね１２ａに抗して空走距離Ｌ２だけ移動した時点で当該スイッチ本体１３がオンして電動モータ５ａが起動する。このため、第１実施形態に係るスイッチ１０によれば、スイッチレバー１１を空走距離Ｌ（＝Ｌ１＋Ｌ２）だけオン側へ移動操作した時点でスイッチ本体１３がオンする。
このように第１実施形態に係るスイッチ１０は、スイッチレバー１１の空走距離について、スイッチノブ１２自体の空走距離Ｌ２に加えて、当該スイッチレバー１１のスイッチノブ１２に対する空走距離Ｌ１が付加されていることから、従来のノブ一体形スイッチレバーよりも大きな空走距離が持たせられている。このことから、別途ロックオフ機構を設ける等することなく、スイッチレバー１１の誤操作及び誤作動を従来よりも確実に防止することができるようになる。
また、スイッチ本体１２の空走距離Ｌ２自体に変更を加える構成ではなく、当該スイッチ本体１２については従来構成のものをそのまま利用することができることから、スイッチレバー１１の空走距離Ｌについて例示したように空走距離Ｌが大きいタイプ（本実施形態を適用したタイプ）と小さなタイプ（従来タイプ）との変更若しくは切り換えを容易に行えるようになる。
【０００８】
次に、第２実施形態のスイッチ２０について説明する。この第２実施形態のスイッチ２０の詳細が図６〜図８に示されている。第１実施形態のスイッチ１０では、スイッチレバー１１の空走距離について、当該スイッチレバー１１とスイッチノブ１２との間に空走距離Ｌ１を持たせることにより大きな空走距離Ｌ（＝Ｌ１＋Ｌ２）を得る構成となっている。これに対して、第２実施形態のスイッチ２０では、スイッチ本体２３が移動することによりスイッチレバー２１に大きな空走距離Ｌが設定された構成となっている。
第２実施形態のスイッチ２０は、第１実施形態と同様、スイッチレバー２１とスイッチ本体２３を備えている。スイッチレバー２１は、ハンドル部６の内周面に設けられた支持孔６ａ内においてオン位置とオフ位置との間を移動可能な状態に保持されている。このスイッチレバー２１は、スイッチ本体２３のスイッチノブ２２の先端に一体に設けられている。このため、スイッチレバー２１を移動させると、これと一体でスイッチノブ２２が移動する。この点は従来のノブ一体形スイッチレバーと共通している。また、スイッチノブ２２は、当該スイッチ本体２３に内装したノブ付勢ばね２２ａにより突き出し側（オフ側）に付勢されている。
この第２実施形態では、スイッチ本体２３がハンドル部６の内部に移動可能に支持されている点が大きく異なっている。スイッチ本体２３は、スイッチレバー２１の移動方向と同じ方向に移動可能に支持されている。スイッチ本体２３の背面と、この背面に対向するハンドル部６の壁部６ｂとの間に２つの本体付勢ばね２５，２５が介装されている。この第２実施形態では、本体付勢ばね２５，２５に圧縮ばねが用いられている。この本体付勢ばね２５，２５によりスイッチ本体２３は図において下側（スイッチレバー２１側）に付勢されている。この２つの本体付勢ばね２５，２５による合計付勢力は、スイッチノブ２２をオフ位置側に付勢するノブ付勢ばね２２ａの付勢力よりも小さな力に設定されている。このため、スイッチレバー２１を図６に示すオフ位置から図７に示すようにオン位置側に向けて引き操作すると、先ずスイッチ本体２３が本体付勢ばね２５，２５に抗して図において上側へ後退する。第２実施形態では、このスイッチ本体２３の後退動作がスイッチレバー２１の空走距離Ｌ３として機能する。図７に示すようにスイッチ本体２３が後退端まで移動した後、そのままさらにスイッチレバー２１を引き操作すると、スイッチノブ２２がノブ付勢ばね２２ａに抗して空走距離Ｌ２分だけ移動してオン位置に至る。このことから、この空走距離Ｌ３とスイッチノブ２２自体の空走距離Ｌ２との合計（Ｌ２＋Ｌ３）が請求項６に記載した空走距離Ｌの一実施形態に相当し、また本体付勢ばね２５，２１５及びこれにより形成される空走距離Ｌ３がレバー空走距離付与手段の一実施形態に相当する。
このように、スイッチ本体２３がオンするまでに要するスイッチレバー２１の移動距離（空走距離Ｌ）はＬ２＋Ｌ３となり、スイッチ本体２３の移動距離（空走距離Ｌ３）だけ従来よりも大きな空走距離を得ることができる。従って、第２実施形態に係るスイッチ２０によれば、スイッチ本体２３の移動距離（空走距離Ｌ３）及び本体付勢ばね２５，２５の付勢力を適切に設定することにより、従来よりも十分に大きな空走距離を得ることができ、これにより別途ロックオフ機構等を設けることなく、スイッチレバー２１の誤操作及び誤作動を従来よりも確実に防止することができる。
また、第２実施形態によってもスイッチ本体２３自体については何ら変更を加える必要がないことから、当該スイッチ本体２３については従来構成のものをそのまま利用できるとともに、スイッチレバー２１の空走距離について大小の変更若しくは切り換えを容易に行えるようになる。
【０００９】
次に、第３実施形態に係るスイッチ３０について説明する。第１、第２実施形態のスイッチ１０，２０ではいずれもスイッチレバー１１，２１を平行移動させる構成を例示したが、第３実施形態のスイッチ３０は平行移動ではなく傾動操作する構成となっている点で前２実施形態とは異なっている。
このスイッチ３０の詳細が図９及び図１０に示されている。このスイッチ３０は、使用者が引き操作するスイッチレバー３１とスイッチ本体３３を備えている。スイッチレバー３１は、ハンドル部６に設けた支軸３４を介して傾動可能に支持されている。このスイッチレバー３１は、指当て部３１ａと支持アーム部３１ｂを備える樹脂成形部品で、支持アーム部３１ｂの先端部が支軸３４を介してハンドル部６に支持されている。指当て部３１ａの背面側（図において上方）には、ノブ当て部３１ｃが一体に設けられている。このノブ当て部３１ｃには、スイッチ本体３３のスイッチノブ３２が突き当てられている。スイッチノブ３２は、スイッチ本体３３内のノブ付勢ばね３２ａにより突き出し側に付勢されている。従って、スイッチノブ３２は、ノブ付勢ばね３２ａの付勢力によってスイッチレバー３１のノブ当て部３１ｃに突き当てられている。
スイッチノブ３２は、ノブ当て部３１ｃであってスイッチレバー３１の長手方向ほぼ中央に突き当てられている。このため、当該スイッチレバー３１の傾動操作により、スイッチノブ３２のノブ突き当て部３１ｃに対する突き当て部の移動経路の半径Ｒ１は、当該スイッチレバー３１の傾動先端部の移動経路の半径Ｒ２の概ね半分程度（Ｒ１＜Ｒ２）となっている。一方、スイッチノブ３２は、第１及び第２実施形態と同様スイッチ本体３３に内装したノブ付勢ばね３２ａによって突き出し側（オフ位置側）に付勢されている。また、このスイッチノブ３２自体もオン位置に至るまでの空走距離Ｌ２を有している。
このことから、スイッチレバー３１の傾動先端部の空走距離Ｌ４は、スイッチノブ３２の空走距離Ｌ２が比率（Ｒ２／Ｒ１）で増幅されたものとなり、スイッチノブ３２の空走距離Ｌ２の概ね２倍程度の空走距離Ｌ４を得ることができる。スイッチノブ３２のノブ突き当て部３１ｃに対する突き当て部を適切に設定することにより、スイッチノブ３２自体の空走距離Ｌ２を任意の比率で増幅して空走距離Ｌ４とすることができ、これにより当該スイッチレバー３１について従来よりも十分に大きな空走距離Ｌ４を得ることができる。この空走距離Ｌ４が請求項６に記載した空走距離Ｌの一実施形態に相当し、またスイッチレバー３１の傾動支持構造及びこれにより実現されるスイッチノブ３２の空走距離Ｌ２の増幅構造が請求項６に記載したレバー空走距離付与手段の一実施形態に相当する。
また、第３実施形態の場合についても、スイッチ本体３３自体については特別の変更を加える必要がないことから、空走距離Ｌ２のスイッチノブ３２を有する従来構成のスイッチ本体３３をそのまま利用することができるとともに、スイッチレバー３１の空走距離について、空走距離の大きなタイプと小さなタイプとの変更若しくは切り換えを容易に行うことができるようになる。
【００１０】
以上説明した各実施形態にはさらに変更を加えることができる。例えば、第１実施形態と第２実施形態を組み合わせた構成、すなわちスイッチレバーとスイッチノブとの間に空走距離Ｌ１を設定し、かつスイッチ本体をハンドル部のスイッチ支持部に移動可能に支持して空走距離Ｌ３を設定することによってさらに大きな空走距離を得ることができる。
また、ループ形のハンドル部６に設けたスイッチを例示したが、ストレートなロッド形ハンドルに配置されるスイッチにも同様に適用することができる。
使用者が指先で引き操作してオンさせるスイッチを例示したが、本発明は使用者が指先や手の平で押してオンさせる形態のスイッチにも適用することができる。
レバー付勢ばね１４、本体付勢ばね２５、ノブ付勢ばね１２ａ，２２ａ，３２ａに圧縮コイルばねを用いる構成を例示したが、引っ張りばねや板ばねに置き換えることもできる。また、ばねではなく、クッションダンパー等その他の付勢手段を用いることもできる。
さらに、電動工具の駆動モータ起動用のスイッチ１０，２０，３０を例示したが、例えば電動工具に装備した照明器具点灯用のスイッチ等、その他電動工具に装備される各種の電気機器のスイッチに適用することもできる。
また、電動工具の一例として携帯形の丸鋸を例示したが、例えば卓上型の丸鋸盤、レシプロソー等の往復動切断機、ねじ締め機や孔あけ用の電気ドリル等の回転工具等のその他の電動工具に広く適用することができる。
【図面の簡単な説明】
【００１１】
【図１】本発明の第１実施形態のスイッチを備えた携帯形丸鋸を正面側から見た図である。
【図２】本発明の第１実施形態のスイッチを備えた携帯形丸鋸の平面図である。
【図３】第１実施形態のスイッチを正面側から見た図である。本図は、スイッチレバーがオフ位置に位置する状態を示している。
【図４】第１実施形態のスイッチを正面側から見た図である。本図は、スイッチレバーが引き操作された中途位置であって、空走距離Ｌ１分だけオン位置側に移動操作された状態を示している。
【図５】第１実施形態のスイッチを正面側から見た図である。本図は、スイッチレバーがオン位置に移動操作された状態を示している。本図において、スイッチレバーのオフ位置が二点鎖線で示されている。
【図６】第２実施形態のスイッチを正面側から見た図である。本図は、スイッチレバーがオフ位置に位置する状態を示している。
【図７】第２実施形態のスイッチを正面側から見た図である。本図は、スイッチレバーが引き操作された中途位置であって、空走距離Ｌ３分だけオン位置側に移動操作された状態を示している。
【図８】第２実施形態のスイッチを正面側から見た図である。本図は、スイッチレバーがオン位置に移動操作された状態を示している。本図において、スイッチレバーのオフ位置が二点鎖線で示されている。
【図９】第３実施形態のスイッチを正面側から見た図である。本図は、スイッチレバーがオフ位置に位置する状態を示している。
【図１０】第３実施形態のスイッチを正面側から見た図である。本図は、スイッチレバーがオン位置に移動操作された状態を示している。
【符号の説明】
【００１２】
１…携帯丸鋸（電動工具）
５…モータケース、５ａ…電動モータ
６…ハンドル部、６ａ…支持孔、６ｂ…壁部
１０…スイッチ（第１実施形態）
１１…スイッチレバー、１１ａ…指当て部
１２…スイッチノブ、１２ａ…ノブ付勢ばね
１３…スイッチ本体
Ｌ１…スイッチレバーのスイッチノブに対する空走距離（第１実施形態）
Ｌ２…スイッチノブの空走距離
１４…レバー付勢ばね
２０…スイッチ（第２実施形態）
２１…スイッチレバー
２２…スイッチノブ、２２ａ…ノブ付勢ばね
２３…スイッチ本体
２５…本体付勢ばね
Ｌ３…スイッチ本体の空走距離（第２実施形態）
３０…スイッチ（第３実施形態）
３１…スイッチレバー
３２…スイッチノブ、３２ａ…ノブ付勢ばね
３３…スイッチ本体
Ｒ１…ノブ突き当て部の移動半径
Ｒ２…レバー先端部の移動半径
Ｌ４…スイッチレバー傾動先端部の空走距離（第３実施形態）
Ｌ…スイッチレバーの空走距離
【図１】
2008173732.tif 000003
【図２】
2008173732.tif 000004
【図３】
2008173732.tif 000005
【図４】
2008173732.tif 000006
【図５】
2008173732.tif 000007
【図６】
2008173732.tif 000008
【図７】
2008173732.tif 000009
【図８】
2008173732.tif 000010
【図９】
2008173732.tif 000011
【図１０】
2008173732.tif 000012